(57)【要約】【課題】冷たい飲料水によってグラスの表面に水滴が付着しても、手や衣類、テーブル等が濡れるのを防止することができるグラスホルダーを提供する。【解決手段】グラスホルダー１０に、断面が三角形状で一つの頂点がグラス１の外表面へ当接可能とされた上下方向へ延びる長尺状の複数の誘導棹１１と、複数の誘導棹１１をグラス１の外周に沿って所定間隔で内周側に保持し、複数の誘導棹１１の上端と下端、及び上下方向の中間とを保持するように配置された三つの保持環１２と、下端の保持環１２の下側に対して脱着可能に取付けられ上側が開放された皿状の台座１３と、台座１３内に収容された吸水部材１４と、を具備させる。【選択図】図１
2011224027.tif 000002
【特許請求の範囲】
【請求項１】
断面が三角形状で一つの頂点がグラスの外表面へ当接可能とされた上下方向へ延びる長尺状の複数の誘導棹と、
複数の該誘導棹をグラスの外周に沿って所定間隔で内周側に保持し、少なくとも複数の該誘導棹の上端と下端とを保持するように配置された複数の保持環と、
下端の該保持環の下側に対して脱着可能に取付けられ上側が開放された皿状の台座と、
該台座内に収容された吸水部材と
を具備することを特徴とするグラスホルダー。
【発明の詳細な説明】
【技術分野】
【０００１】
本発明は、飲料用等のグラスに装着して使用するグラスホルダーに関するものである。
【背景技術】
【０００２】
従来より、ビールや、水割り、ジュース、水等の冷たい飲料水をグラスに注ぐと、結露によってグラスの表面に水滴が付着した状態となるので、その状態でグラスを持つと手に水滴が着いてしまったり、グラスに着いた水滴が落ちて衣類やテーブル等を濡らしてしまったりする問題があった。そのため、おしぼりを用いて濡れた手を拭いたり、テーブル拭きでテーブルを拭いたりしていた。或いは、グラスにおしぼり等を巻いた状態として、水滴を吸収させるようにしていた。なお、出願人は、上記の従来技術が記載された特許文献を知見していない。
【発明の概要】
【発明が解決しようとする課題】
【０００３】
しかしながら、従来では、濡れた手を拭いたりテーブルを拭いたりするためのおしぼりやテーブル拭きが沢山必要となる問題があった。また、おしぼりを巻いてグラスを持つようにした場合では、グラスが持ち難くなり、グラスを落としてしまう虞があると共に、グラス内の飲料水が飲み辛くなる問題がある。これに対して、筒状の容器にグラスを入れて、容器ごとグラスを持つようにすることでグラスに着いた水滴によって手や衣類、テーブル等が濡れてしまうのを防止することが考えられるが、この場合、容器とグラスが密着していると、グラス容器との熱伝導によって容器が冷えてしまい、容器の外側に結露によって水滴が着いてしまう虞がある。
【０００４】
そこで、本発明は上記の実情に鑑み、冷たい飲料水によってグラスの表面に水滴が付着しても、手や衣類、テーブル等が濡れるのを防止することができるグラスホルダーの提供を課題とするものである。
【課題を解決するための手段】
【０００５】
上記の課題を解決するために、本発明のグラスホルダーは、「断面が三角形状で一つの頂点がグラスの外表面へ当接可能とされた上下方向へ延びる長尺状の複数の誘導棹と、複数の該誘導棹をグラスの外周に沿って所定間隔で内周側に保持し、少なくとも複数の該誘導棹の上端と下端とを保持するように配置された複数の保持環と、下端の該保持環の下側に対して脱着可能に取付けられ上側が開放された皿状の台座と、該台座内に収容された吸水部材とを具備する」ことを特徴とする。
【０００６】
ここで、グラスホルダーに保持される「グラス」としては、「上端の方が拡径した円錐台状のもの」、「円柱状のもの」、等が挙げられる。また、「誘導棹」としては、三角形の断面形状を、グラスに当接する頂点を中心とした二等辺三角形とすることが望ましい。更に、「吸水部材」としては、「スポンジ」、「不織布」、等が挙げられる。
【０００７】
本発明のグラスホルダーは、内部にグラスを保持した状態でグラスにビールや水割り等の冷たい飲料水を注いだり、冷たい飲料水を注いだグラスを内部に保持させたりして、結露によってグラスの表面に水滴が付着した場合、水滴が上下方向へ延びた誘導棹に接触すると、水の表面張力によって水滴が誘導棹側へと吸い寄せられると共に、誘導棹の先端とグラスとの間の僅かな隙間により毛細管現象が発生し、誘導棹に接触した水滴を誘導棹に沿って下方の吸水部材へと誘導することができ、グラスの表面に付着した水滴を除去することができる。
【０００８】
これにより、グラスホルダーは、グラスごと持っても、手に水滴が着いたり、グラスから衣類やテーブル等に水滴が垂れてしまったりすることが無いので、手や衣類、テーブル等が濡れるのを防止することができ、快適に使用することができると共に、おしぼりやテーブル拭き等の使用量を低減させることができる。
【０００９】
また、グラスホルダーは、誘導棹によって誘導した水滴を吸水部材で吸収するようにしているので、グラスごとグラスホルダーを持ってグラス内の飲料水を飲んでも（グラスホルダーを傾けても）、台座から水がこぼれ落ちるのを防止することができ、衣類やテーブル等が濡れてしまうのを防止することができる。
【００１０】
また、グラスホルダーは、誘導棹の断面を三角形とすると共に、一つの頂点がグラスの表面と当接するようにしているので、グラスホルダーとグラスとの接触面積を可及的に少なくしてグラスホルダーとグラスとの間の熱伝導を小さくすることができ、グラスに入った冷たい飲料水によりグラスホルダーが冷えてグラスホルダーの表面に結露が発生するのを防止することができる。
【００１１】
更に、グラスホルダーは、上述したように、グラスホルダーとグラスとの間の熱伝導を小さくすることができるので、グラスごとグラスホルダーを持っても手が冷たくなるのを防止することができると共に、手の熱がグラスに伝わるのを抑制することができ、手の熱等によってグラス内の飲料水が早く温くなってしまうのを抑制することができる。
【００１２】
なお、グラスホルダーの高さは、グラスを保持した状態で、上端の保持環がグラスの上端から１０〜５０ｍｍ下がった位置となる高さが望ましく、これにより、グラスホルダーにグラスを保持した状態で、グラス内の飲料水を飲み易くすることができる。
【００１３】
また、誘導棹の数については、保持環によりグラスの外周に沿って周方向へ保持された時に、誘導棹同士の間に、３〜１５ｍｍ、望ましくは、５〜１０ｍｍの隙間が形成される数とすることが望ましい。グラスに付着した水滴を、表面張力と毛細管現象とによって確実に誘導棹側へ引き寄せることができ、グラスに着いた水滴を良好に除去することができると共に、グラスごとグラスホルダーを持った時に、指等がグラスに接触して濡れしまうのを防止することができる。なお、誘導棹同士の間隔がこれよりも小さいと、誘導棹の数が多くなってコストが高くなる他に見栄えが悪くなる問題があるためであり、誘導棹同士の間隔がこれよりも大きいと、グラスに付着した水滴を充分に除去することができなくなったり指等がグラスに触れて濡れてしまったりする虞があるためである。
【００１４】
更に、吸水部材の下側で台座の底面との間に所定容積の空間を形成するようにしても良く、これにより、グラスからの水滴を吸水することで吸水部材が飽和状態となると、吸水部材から下側の空間へ余分な水を排出することができ、吸水部材の容積よりも多く水を受けることができる。
【発明の効果】
【００１５】
このように、本発明によれば、冷たい飲料水によってグラスの表面に水滴が付着しても、手や衣類、テーブル等が濡れるのを防止することができるグラスホルダーを提供することができる。
【図面の簡単な説明】
【００１６】
【図１】（Ａ）は本発明の一実施形態であるグラスホルダーの斜視図であり、（Ｂ）は（Ａ）のグラスホルダーの縦方向に切断して示す断面図である。
【図２】図１のグラスホルダーを保持環の位置で横方向に切断して示す断面図である。
【図３】図１のグラスホルダーを分解して示す分解斜視図である。
【発明を実施するための形態】
【００１７】
本発明の一実施形態であるグラスホルダーについて、図１乃至図３を参照して説明する。図１（Ａ）は本発明の一実施形態であるグラスホルダーの斜視図であり、（Ｂ）は（Ａ）のグラスホルダーの縦方向に切断して示す断面図である。また、図２は、図１のグラスホルダーを保持環の位置で横方向に切断して示す断面図である。更に、図３は、図１のグラスホルダーを分解して示す分解斜視図である。
【００１８】
本実施形態のグラスホルダー１０は、上端の方が下端よりも拡径した円錐台状のグラス１を収容して保持することができるものである。このグラスホルダー１０は、断面が二等辺三角形状で一つの頂点がグラス１の外表面へ当接可能とされた上下方向へ延びる長尺状の複数の誘導棹１１と、複数の誘導棹１１をグラス１の外周に沿って所定間隔で内周側に保持し複数の誘導棹１１の上端と下端、及び上端と下端との中間とを保持するように配置された三つの保持環１２と、下端の保持環１２の下側に対して脱着可能に取付けられ上側が開放された皿状の台座１３と、台座１３内に収容された吸水部材１４と、を備えている（図１（Ｂ）、図３等を参照）。
【００１９】
このグラスホルダー１０の誘導棹１１は、断面がグラスに当接する頂点を中心とした二等辺三角形とされており（図２を参照）、上端にグラスホルダー１０の中心へ向かって低くなるように傾斜した傾斜面１１ａを備えている。
【００２０】
また、グラスホルダー１０の三つの保持環１２は、夫々所定幅で帯状に形成されており、下端の保持環１２のみ上端及び中間の保持環１２よりも幅広に形成されている。また、上端の保持環１２は、上端が誘導棹１１の上端と一致した位置に配置されている。一方、下端の保持環１２は、下端が誘導棹１１の下端よりも若干上側の位置となるように配置されており、外周の所定位置に外方へ突出した四つの凸部１２ａ（図１（Ｂ）及び図３を参照）を備えている。これら四つの凸部１２ａは、台座１３の後述する凹溝１３ｈと係合するようになっている。
【００２１】
更に、グラスホルダー１０の台座１３は、図示するように、円盤状の底壁部１３ａと、底壁部１３ａの外周縁から上方へ延びた短い筒状の周壁部１３ｂと、底壁部１３ｂの下面から下方へ半球状に突出した複数（本例では四つ）の脚部１３ｃと、を備えている。この台座１３は、周壁部１３ｂの外周が上下方向の中央よりも上寄りの位置を境界に、下側の外径が上側の外径よりも大径に形成されており、周壁部１３ｂにおける下側の所定位置に断面が半円形状の突条１３ｄを備えている。
【００２２】
また、台座１３は、周壁部１３ｂの内周が、上から上段部１３ｅ、中段部１３ｆ、下段部１３ｇの三段の階段状に形成されており、下側へ向かうほど内周が小径に形成されている。詳述すると、周壁部１３ｂにおける内周の上段部１３ｅは、内径が下端の保持環１２の外径と略同じ径とされ、上下方向が台座１３の上端から周壁部１３ｂの外周の境界と略同じ高さまでとされると共に、上下方向の所定位置に全周に亘って延び下端の保持環１２に備えられた凸部１２ａが挿入係合可能とされた凹溝１３ｈを備えている。この上段部１３ｅの凹溝１３ｈは、保持環１２の凸部１２ａを係合させた状態で、誘導棹１１の下端が上段部１３ｅの下端と略同じ高さとなる位置に備えられている。
【００２３】
また、台座１３の周壁部１３ｂにおける内周の中段部１３ｆは、内径が下端の保護管１２の内径よりも若干小径とされ、吸水部材１４と略同じ高さとされている。更に、周壁部１３ｂにおける内周の下段部１３ｇは、内径が吸水部材１４の外径よりも小径とされている。また、吸水部材１４は、台座１３における中段部１３ｆ内へ収容可能な円盤状に形成されており、本例ではスポンジとされている。
【００２４】
なお、本例のグラスホルダー１０は、複数の誘導棹１１と三つの保持環１２とが一体的に形成されており、誘導棹１１、保持環１２、及び台座１３が、表面にメッキを有した所定の合成樹脂によって形成されている。
【００２５】
本例のグラスホルダー１０は、台座１３の中段部１３ｆに吸水部材１４を収容した状態で、複数の誘導棹１１と一体となった保持環１２の凸部１２ａを、台座１３の凹溝１３ｈへ挿入係合させることで、組立てることができるようになっている。また、本例のグラスホルダー１０は、図１（Ｂ）に示すように、組立てた状態では、吸水部材１４の上面に複数の誘導部材１１の下端が接触するようになっている。
【００２６】
次に、本実施形態のグラスホルダー１０の作用について説明する。本例のグラスホルダー１０は、図１（Ａ）に示すように、組立てた状態では上端が開放された筒状に形成されているので、グラスホルダー１０の上端からグラス１を挿入することで、グラス１を保持することができる。この際に、グラスホルダー１０には、複数の誘導棹１１の上端に中心へ向かって低くなるように傾斜した傾斜面１１ａを備えているので、グラスホルダー１０内へグラス１を簡単に挿入することができるようになっている。
【００２７】
そして、グラス１をグラスホルダー１０に保持させた状態とすると、図２に示すように、グラス１の外表面に各誘導棹１１の内側を向いた頂点が略当接した状態となると共に、グラス１の底が吸水部材１４の上面と接触した状態（図示は省略する）となる。これにより、グラスホルダー１０内でグラス１が殆どガタつかないようになっている。
【００２８】
続いて、グラスホルダー１０に保持されたグラス１に、ビールや水割り等の冷たい飲料水を注ぐと、冷たい飲料水によってグラス１が冷え、結露によってグラス１の外表面の各所に水滴が付着することとなる。このグラス１に付着した水滴は、誘導棹１１に接触すると、水の表面張力によって誘導棹１１側へ引き寄せられると同時に、誘導棹１１の先端とグラス１の外表面との間で発生する毛細管現象によって誘導棹１１に沿って流れ、下端に当接した吸水部材１４に吸収されることとなる。また、グラス１の外表面における誘導棹１同士の間に付着した水滴は、結露の進行に伴って次第に大きくなり、自重によってグラス１を伝って吸水部材１４へ流下したり、大きくなった水滴が誘導棹１に接触して表面張力と毛細管現象とにより吸水部材１４に吸収されたりすることとなる。
【００２９】
なお、本例のグラスホルダー１０は、図１（Ｂ）に示すように、台座１３の下段部１３ｇによって吸水部材１４の下側に、所定量の空間が形成されているので、吸水部材１４が飽和状態となると、吸水部材１４から下段部１３ｇへ余分な水を排出することができ、吸水部材１４の容積よりも多く水を受けることができる。また、下段部１３ｇに排出された水は、グラスホルダー１０を傾けても、上側の吸水部材１４の存在によって台座１３からこぼれ難くなっている。
【００３０】
このように、本実施形態のグラスホルダー１０によると、内部にグラス１を保持した状態でグラス１にビールや水割り等の冷たい飲料水を注いだり、冷たい飲料水を注いだグラス１を内部に保持させたりして、結露によりグラス１の表面に水滴が付着した場合、水滴が上下方向へ延びた誘導棹１１に接触すると、水の表面張力によって水滴が誘導棹１１側へと吸い寄せられると共に、誘導棹１１の先端とグラス１との間の僅かな隙間により毛細管現象が発生し、誘導棹１１に接触した水滴を誘導棹１１に沿って下方の吸水部材１４へと誘導することができ、グラス１の表面に付着した水滴を除去することができる。
【００３１】
従って、このグラスホルダー１０は、グラス１ごと持っても、手に水滴が着いたり、グラス１から衣類やテーブル等に水滴が垂れてしまったりすることが無いので、手や衣類、テーブル等が濡れるのを防止することができ、快適に使用することができると共に、おしぼりやテーブル拭き等の使用量を低減させることができる。
【００３２】
また、グラスホルダー１０は、誘導棹１１によって誘導した水滴を吸水部材１４で吸収するようにしているので、グラス１ごとグラスホルダー１０を持ってグラス１内の飲料水を飲んでも（グラスホルダー１０を傾けても）、台座１４から水がこぼれ落ちるのを防止することができ、衣類やテーブル等が濡れてしまうのを防止することができる。
【００３３】
また、グラスホルダー１０は、誘導棹１１の断面を三角形とすると共に、一つの頂点がグラス１の表面と当接するようにしているので、グラスホルダー１０とグラス１との接触面積を可及的に少なくしてグラスホルダー１０とグラス１との間の熱伝導を小さくすることができ、グラス１に入った冷たい飲料水によりグラスホルダー１０が冷えてグラスホルダー１０の表面に結露が発生するのを防止することができる。
【００３４】
更に、グラスホルダー１０は、上述したように、グラスホルダー１０とグラス１との間の熱伝導を小さくすることができるので、グラス１ごとグラスホルダー１０を持っても手が冷たくなるのを防止することができると共に、手の熱がグラス１に伝わるのを抑制することができ、手の熱等によってグラス１内の飲料水が早く温くなってしまうのを抑制することができる。
【００３５】
また、グラスホルダー１０は、台座１３を脱着可能としているので、簡単に台座１３に溜まった水を捨てたり、吸水部材１４を交換したりすることができると共に、グラスホルダー１０を洗い易くすることができ、使い勝手の良いものとすることができる。
【００３６】
以上、本発明について好適な実施形態を挙げて説明したが、本発明はこれらの実施形態に限定されるものではなく、本発明の要旨を逸脱しない範囲において、種々の改良及び設計の変更が可能である。
【符号の説明】
【００３７】
１  グラス
１０  グラスホルダー
１１  誘導棹
１２  保持環
１２ａ  凸部
１３  台座
１３ｈ  凹溝
１４  吸水部材
【図１】
2011224027.tif 000003
【図２】
2011224027.tif 000004
【図３】
2011224027.tif 000005